(57)【要約】【課題】  機能・文字入力のキー操作の簡略化を図る携帯通信端末を提供する。【解決手段】  押下検出部８は、操作キーが押下されたことを検出すると、押下された操作キーの情報を押下通知としてＣＰＵ１２へ出力する。ＣＰＵ１２は押下通知を受け取ると、ＲＯＭ９にアクセスし、操作キー１０１を一回押下した場合に対応する文字（機能）を読み出し、読み出した文字を選択されている文字として表示部６に表示させる。続いて、ＣＰＵ１２は操作キーの押下解除通知を受け取るとタイマー１１を起動させる。そのままユーザが操作キー１０１、またはその他の操作キーの押下を行わず、タイマー１１がタイムアップした場合には、現在選択されている文字（機能）は確定であったと判定して、当該文字（機能）を確定する。【選択図】図１
2011151865.tif 000002
【特許請求の範囲】
【請求項１】
操作キーが押下されたことを検出するステップと、
押下された当該操作キーに割り当てられた機能を選択するステップと、
前記操作キーの押下が解除され、次の操作キーの押下までの状態が所定の時間持続したか否かを判定するステップと、
前記操作キーの押下が解除され、次の操作キーの押下までの状態が所定の時間持続された場合には、現在選択されている機能を確定するステップとを具備することを特徴とする機能確定方法。
【請求項２】
操作キーが押下されたことを検出する押下検出手段と、
押下された当該操作キーに割り当てられた機能を選択する選択手段と、
前記操作キーの押下が解除され、次の操作キーの押下までの状態が所定の時間持続したか否かを判定する判定手段と、
前記操作キーの押下が解除され、次の操作キーの押下までの状態が所定の時間持続された場合には、現在選択されている機能を確定する機能確定手段とを具備することを特徴とする携帯通信端末。
【請求項３】
各前記操作キーには複数の機能が割り当てられており、
前記選択手段は、押下された前記操作キーと当該操作キーが押下された回数に基づいて機能を選択することを特徴とする請求項２に記載の携帯通信端末。
【請求項４】
前記選択手段は、選択した機能を表示し、
前記機能確定手段は、操作キーの押下が解除され、次の操作キーの押下までの状態が所定の時間持続した場合に、現在表示されている機能を確定することを特徴とする請求項２又は請求項３に記載の携帯通信端末。
【請求項５】
前記機能は、文字、記号、絵柄のいずれかであることを特徴とする請求項２〜請求項４のいずれかの項に記載の携帯通信端末。
【発明の詳細な説明】
【技術分野】
【０００１】
本発明は、キーの設置数が限られている端末における機能・文字入力の際のキー操作を簡易化した機能確定方法及び機能・文字入力の際のキー操作を簡易化した携帯通信端末に関する。
【背景技術】
【０００２】
近年、携帯通信端末に多数のアプリケーションが搭載されるようになり、端末の利用範囲が著しく広がっている。
これに対し、端末に配置できる操作キーの数は、端末の大きさ等により制限されることから、搭載されるアプリケーションが多いほど、同一操作キーに割り当てられる機能が増加することとなる。
【０００３】
端末の利用者は、携帯通信端末に備えられている操作キーを操作することにより、所望のアプリケーションを起動させ、また、所望の指示を出す。
この時、起動させるアプリケーションを確定させるため、画面に表示されている選択肢の１つを選択するために、通常は、確定キーなるものが操作キーの１つとして設けられており、ユーザは選択した項目を確定する度にこの確定キーを操作する必要があった。
【０００４】
また、携帯電話機等の文字入力についても、同様に、同一キーに複数の文字が割り当てられている。
例えば、図３に示すように、操作キー１００には、数字の「１」、「あ行」、「＠」が割り当てられ、同様に操作キー１０１には、「２」、「か行」、「ＡＢＣ」が割り当てられ、操作キー１０２には、「３」、「さ行」、「ＤＥＦ」が割り当てられている。
【０００５】
このようなキー配列を持つ携帯電話機において、ひらがなを入力する場合には、利用者は、入力モードを「かな入力」モードに切り替えてから、所望の文字が割り当てられている操作キーを適切な回数押下する。
例えば、「く」を入力する場合は、まず、かな入力モードにしてから“か行”が割り当てられている操作キー１０１を３回押下する。
【発明の概要】
【発明が解決しようとする課題】
【０００６】
上述したように、従来の携帯通信端末では、機能を確定する場合には確定キーを押下する必要があったため、確定キーを押すためにわざわざ指を移動させなければならず、速やかにキー操作を行うことができないという問題があった。
【０００７】
また、文字入力においては、上述したキー配列において同一キーに割り当てられた文字を連続して入力する場合、例えば、「きく」と入力する場合には、利用者は、１文字目である「き」を入力した後、一旦、「き」を確定するために確定キーを押し、その後「く」を入力しなければならず、キー操作が複雑化する。
このため、文字入力を正確に且つ速やかに行うには、ある程度熟練することが必要となり、端末の操作に不慣れな利用者にとっては、入力ミスが頻発し、利便性が悪いという欠点が生じた。
【０００８】
本発明はこのような事情に鑑みてなされたもので、機能・文字入力のキー操作の簡略化を図る機能確定方法及び機能・文字入力のキー操作の簡略化を図ることにより利便性がよい携帯通信端末を提供することを目的とする。
【課題を解決するための手段】
【０００９】
上記目的を達成するために、本発明は、操作キーが押下されたことを検出するステップと、押下された当該操作キーに割り当てられた機能を選択するステップと、前記操作キーの押下が解除され、次の操作キーの押下までの状態が所定の時間持続したか否かを判定するステップと、前記操作キーの押下が解除され、次の操作キーの押下までの状態が所定の時間持続された場合には、現在選択されている機能を確定するステップとを具備することを特徴とする機能確定方法を提供する。
【００１０】
このように、操作キーの押下が解除され、次の操作キーの押下までの状態が所定の時間持続したか否かを判定し、操作キーの押下が解除され、次の操作キーの押下までの状態が所定の時間持続した場合には、現在選択されている機能・文字を確定するので、機能・文字を確定する際に、従来のように確定キーを押下する必要がなくなり、キー操作を簡略化させることが可能となる。
【００１１】
また、本発明は、操作キーが押下されたことを検出する押下検出手段（実施形態における押下検出部８）と、押下された当該操作キーに割り当てられた機能を選択する選択手段（実施形態においては、ＣＰＵ１２がＲＯＭ９に格納されているプログラムを実行することにより行う処理）と、前記操作キーの押下が解除され、次の操作キーの押下までの状態が所定の時間持続したか否かを判定する判定手段（実施形態においては、タイマー１１を使用し、ＣＰＵ１２がＲＯＭ９に格納されているプログラムを実行することにより行う処理）と、前記操作キーの押下が解除され、次の操作キーの押下までの状態が所定の時間持続された場合には、現在選択されている機能を確定する機能確定手段（実施形態においては、ＣＰＵ１２がＲＯＭ９に格納されているプログラムを実行することにより行う処理）とを具備することを特徴とする携帯通信端末を提供する。
【００１２】
上記構成によれば、前記操作キーの押下の解除から次の操作キー押下までの時間の判定手段によって、操作キーの押下が解除され、次の操作キーの押下までの状態が所定の時間持続したと判定された場合に、機能確定手段が現在特定されている機能・文字を確定する。
これにより、機能・文字を確定する際に、従来のように確定キーを押下する必要がなくなり、キー操作を簡略化させることが可能となる。
【００１３】
また、各前記操作キーには複数の機能（例えば、図３に示した操作キー１０１には、かなの「か行」、数字の２、アルファベットのＡＢＣ）が割り当てられており、前記選択手段は、押下された前記操作キーと当該操作キーが押下された回数に基づいて機能を選択することを特徴とする。
【００１４】
上記構成によれば、同一キーに割り当てられた複数の機能を連続して確定する際にも、所望の機能を選択した時に所定の時間以上次の押下を行わなければその機能が確定されるので、確定キーを押下する必要がなくなり、キー操作を簡略化することができる。
【００１５】
また、前記選択手段は、選択した機能を表示し、前記機能確定手段は、操作キーの押下が解除され、次の操作キーの押下までの状態が所定の時間持続した場合に、現在表示されている機能を確定することを特徴とする。
【００１６】
このように、選択した機能を表示させるので、ユーザは選択しようとする機能を確認しながら所望の機能を確定させることができる。
前記機能は、文字、記号、絵柄のいずれかであることを特徴とする。
【発明の効果】
【００１７】
以上説明したように、本発明の携帯通信端末によれば、操作キーが押下と次の押下までの時間間隔が所定の時間持続した場合には、現在特定されている機能を確定する。
これにより、機能を確定する際に、従来のように確定キーを押下する必要がなくなり、より少ない動作で操作キーからの指示が可能となり、機能の確定、文字入力を正確に且つ速やかに行うことができ、利便性の高い携帯通信端末を提供することができる。
【００１８】
特に、同一操作キーに割り当てられた複数の機能を連続して選択・確定する場合には、従来のように確定キーに指を移動させること無く、同一操作キーの連続した押下の時間間隔を空けることによって機能の選択及び確定を行うことが可能となるため、入力操作に係るユーザの負担を更に軽減させることができるという効果が得られる。
【図面の簡単な説明】
【００１９】
【図１】この発明の一実施形態による携帯通信端末の構成を示すブロック図である。
【図２】同実施形態による携帯通信端末の概観図である。
【図３】同実施形態による操作部７の操作キーの配列構成を示す図である。
【発明を実施するための形態】
【００２０】
以下、図面を参照し、本発明の一実施形態について説明する。
図１は、本発明の一実施形態に係る携帯通信端末の構成を示したブロック図であり、図２は同携帯通信端末の概観図である。
【００２１】
図１において、符号１はアンテナ２を有するＲＦ部であり、送信データを搬送波に乗せてアンテナ２から送信し、また、アンテナ２を介して着信した着信信号を出力する。
符号３はコーデックであり、ＲＦ部１から入力されたデータを復号化して出力する一方、ＣＰＵ１２から入力されたデータを符号化してＲＦ部１へ出力する。
符号４は外部から入力された音声信号をアナログ信号に変換してＣＰＵ１２へ出力するマイクロフォン、符号５はＣＰＵ１２から出力される音声信号を音声として出力するスピーカ、符号６はＣＰＵ１２から供給される表示データを表示する、液晶表示器等からなる表示部である。
【００２２】
符号７は電話番号、文字等を入力するためのテンキー７ａ及び各種ファンクションが割り当てられているファンクションキー７ｂ等からなる操作部である。
そして、テンキー７ａを構成する各操作キー１００、１０１、１０２…には、図３に示すように複数の文字が割り当てられている。
【００２３】
符号８は、操作部７を構成する各操作キーの押下を検出するキー押下検出部であり、操作キーの押下を検知した場合に、押下された操作キーの情報をＣＰＵ１２に出力すると共に、当該操作キーの押下が解除された場合、即ち当該キーの押下が検出できなくなった場合に、押下解除通知をＣＰＵ１２に出力する。
【００２４】
符号９はＣＰＵ１２が実行する各種プログラム、各操作キーに割り当てられている機能情報等が記憶されているＲＯＭ（リードオンメモリ）、符号１０はデータ記憶用のＲＡＭ（ランダムアクセスメモリ）、符号１１はタイマーである。
ＣＰＵ１２（中央処理装置）は、ＲＯＭ９に格納された各種プログラムを読み出して実行することにより、所定の処理を行う。
また、処理過程においてデータをＲＡＭ１０に一時的に格納する。
【００２５】
また、ＲＯＭ９の所定のメモリエリアには、各操作キーに割り当てられている文字の情報が、その操作キーを押下した回数に対応付けて格納されている。
これにより、ＣＰＵ１２は、押下された操作キーと当該操作キーが押下された回数とに基づいて該当する機能・文字を検出することができる。
【００２６】
ＣＰＵ１２は、押下検出部８から操作キーの押下解除通知を受け取ると、タイマー１１を起動し、次の操作キーの押下までの時間が所定時間以上か否かを判定する。
即ち、タイマー１１起動時から、所定時間内（タイマー１１がタイムアップする前）に押下検出部８から操作キーの押下通知が入力されれば、通常の繰り返し押下と判定し、他方、タイマー起動時から所定時間内に押下通知が入力されなかった場合には、確定と判定して、現在選択している機能・文字の確定を行う。
【００２７】
なお、上記所定時間は、予め設定されてＲＯＭ９に格納されている情報であり、携帯通信端末の製造時・設計時において任意に決定できる値である。
また、当該所定時間はユーザにより任意に設定できる値であり、ＲＡＭ１０、もしくは書き換え可能なＲＯＭ９に格納されている情報である。
【００２８】
本実施形態では、この所定時間が０．５秒に設定されているものとする。
また、ＣＰＵ１２は押下通知が入力された場合に、タイマー１１をリセットする。
【００２９】
次に、上記構成からなる携帯通信端末の動作について説明する。
まず、ユーザによりファンクションキー７ｂ（図２参照）から入力モードを「かな文字入力」モードに設定する操作が行われ、続いて、「か行」が割り当てられている操作キー１０１の押下が１回行われたとする。
【００３０】
係る操作が行われることにより、携帯通信端末内の各部は以下の処理を実行する。
まず、押下検出部８は、操作キー１０１が押下されたことを検知すると、操作キー１０１の押下通知をＣＰＵ１２に対して行う。
ＣＰＵ１２は、押下通知を受け取ると、ＲＯＭ９にアクセスし、操作キー１０１を一回押下した場合に対応する文字（機能）を読み出し、読み出した文字を選択された文字として表示部６に表示させる。
この結果、表示部６には現在選択されている文字として「か」が表示される。
【００３１】
続いて、押下検出部８は、操作キー１０１の押下解除を検知すると、押下解除通知をＣＰＵ１２へ出力する。
ＣＰＵ１２は、解除通知を受け取るとタイマー１１をスタートさせる。
【００３２】
続いて、ユーザにより同操作キー１０１のタイマーのタイムアップ前（０．５秒以内）に押下が行われたとする。
【００３３】
押下検出部８は、操作キー１０１が押下されたことを検知すると、操作キー１０１の押下通知をＣＰＵ１２に対して行う。
ＣＰＵ１２は、押下通知を受け取ると、タイマー１１をリセットさせると共にＲＯＭ９にアクセスし、操作キー１０１を二回押下した場合に対応する機能（文字）を読み出し、読み出した文字を選択されている文字として表示部に表示させる。
この結果、表示部には、現在選択されている文字として「き」が表示される。
【００３４】
続いて、押下検出部８は、操作キー１０１の押下解除を検知すると、押下解除通知をＣＰＵ１２へ出力する。
ＣＰＵ１２は、解除通知を受け取るとタイマー１１をスタートさせる。
【００３５】
続いて、ユーザにより上記操作キー１０１、またはその他の操作キーの押下がタイマーのタイムアップ時間（０．５秒）まで行われなかったとする。
【００３６】
ＣＰＵ１２はタイマーのタイムアップ判定を行うと、タイマーをリセットさせると共に、確定の判定がなされたとして、現在選択されている機能、即ち現在選択されている文字として表示部に表示されている「き」を確定する。
【００３７】
そして、上述した文字の確定を行った後に、更に、ユーザによって同操作キー１０１の短押しが行われた場合には、ＣＰＵ１２は、このキー操作を新たな文字入力として捉え、操作キー１０１を３回押下した時に該当する機能をＲＯＭ９から読み出すのではなく、操作キー１０１を１回押下した時に該当する文字である「か」をＲＯＭ９から読み出して、表示部６に選択された文字として表示させる。
【００３８】
なお、上述の例では、かな入力を行う場合について説明したが、機能を確定する場合、アルファベットを確定する場合、記号を確定する場合など同様の処理によって行うことができることは当然である。
【００３９】
上述したように、本発明の携帯通信端末によれば、操作キーの押下解除の後次の押下までの時間が所定時間までに行われなかった場合には、現在選択されている機能を確定させるため、従来のように、機能等の確定のために確定キーを押下する必要がなくなり、入力操作を速やかに行うことが可能となる。
【００４０】
以上、この発明の実施形態を図面を参照して詳述してきたが、具体的な構成はこの実施形態に限られるものではなく、この発明の要旨を逸脱しない範囲の設計等も含まれる。
【符号の説明】
【００４１】
６…表示部、７…操作部、７ａ…テンキー、７ｂ…ファンクションキー、８…押下検出部、９…ＲＯＭ、１０…ＲＡＭ、１１…タイマー、１２…ＣＰＵ（選択段、確定判定手段、機能確定手段）、１００，１０１，１０２…操作キー
【図１】
2011151865.tif 000003
【図２】
2011151865.tif 000004
【図３】
2011151865.tif 000005
【手続補正書】
【提出日】平成23年5月10日(2011.5.10)
【手続補正２】
【補正対象書類名】特許請求の範囲
【補正対象項目名】全文
【補正方法】変更
【補正の内容】
【特許請求の範囲】
【請求項１】
複数の文字が割り当てられているキーが押下されると、該キーの押下に対応する文字を表示し、
前記キーの押下が解除されてから、当該キーの押下がないままタイムアップすると、タイムアップ後の次の当該キーの押下に対応する文字は、新たな文字入力として表示することを特徴とする文字入力方法。
【請求項２】
複数の文字が割り当てられているキーが押下されると、該キーの押下に対応する文字を表示する表示手段と、
前記キーの押下が解除されてから、当該キーの押下がないままタイムアップすると、タイムアップ後の次の当該キーの押下に対応する文字は、新たな文字入力として前記表示手段に表示するように制御する制御手段と、
を備えた装置。